(57)【要約】  その周りに柔軟性外側ラップ（１４）を備えた消費者用箱（２８）は、該消費者用箱（２８）を開く時に外側ラップ（１４）を上部（３０）及び下部（３２）部分に分離するようになった開封テープ（１６）を該箱（２８）及び外側ラップ（１４）間に有する。多層芳香性ストリップ（１２）は、開封テープ（１６）の丁度外側で外側ラップ（１４）の外側表面上に配置され、芳香性ストリップ（１２）は、接着剤層（２４）によって外側ラップ（１４）の外側表面に固定される。芳香性ストリップ（１２）は、芳香剤が浸漬された繊維状基材（２２）と、芳香を封じ込めた外側バリア表面（２０）とを含む。開封テープ（１６）が外側ラップ（１４）を上部（３０）及び下部（３２）部分に分離した時に、外側バリア表面（２０）及び繊維状基材（２２）は、開いた状態に破壊されて周囲に芳香を放出する。【選択図】図４
2009502673.tif 000002
【特許請求の範囲】
【請求項１】
消費者用箱であって、
該箱の周りの柔軟性外側ラップと、
該消費者用箱を開く時に前記外側ラップを上部及び下部部分に分離するようになった、該箱及び外側ラップ間の開封テープと、
接着剤層によって前記外側ラップの外側表面に固定されかつ前記開封テープの丁度外側に配置された該外側ラップの外側表面上の多層芳香性ストリップと、を備え、
前記芳香性ストリップが、芳香剤が浸漬された繊維状基材と外側バリア表面とを含み、それによって、前記開封テープが前記外側ラップを上部及び下部部分に分離した時に、前記外側バリア表面及び繊維状基材が、開いた状態に破壊されて芳香を放出する、
消費者用箱。
【請求項２】
前記繊維状基材が、該箱を開く時に前記バリア表面及び繊維状基材を開いた状態に破壊するのを助ける切込み線を含む、請求項１に記載の消費者用箱。
【請求項３】
前記芳香性ストリップが、前記繊維状基材の下方にベース層をさらに含み、前記ベース層が、接着剤層によって前記外側ラップに固定される、請求項１に記載の消費者用箱。
【請求項４】
前記芳香性ストリップが、該消費者用箱を開いた時に該芳香性ストリップの全てが前記外側ラップの上部部分と共に残るように、前記外側ラップの外側表面上に配置される、請求項１に記載の消費者用箱。
【発明の詳細な説明】
【背景技術】
【０００１】
シガレット箱のような消費者用箱の包装は一般に、良く知られている。シガレット箱は一般的に、該箱内のシガレットの周りを包んだフォイル層と、フォイル層の周りを包んだ紙又は板紙と、シガレットの新鮮さを維持するために箱全体の周りを包みかつ密封した、一般に金属フィルム又はポリエチレンのようなポリマー材料の透明フィルムで構成された外側ラップ層とを含む。箱の周りをフィルムで包む前に、一般にポリプロピレンのようなポリマーから成る薄い材料ストリップがフィルムの内側に設けられる。「開封ストリップ」と呼ばれるこの材料ストリップは通常、フィルムよりも高密度かつ高強度であり、通常は箱の側面におけるラッピングから突出しており、引っ張られてポリマーラッピングを開いた状態に切り離し、それによってラッピングを上部及び下部部分に分割する。上部部分は通常、取り除かれかつ廃棄されて、それによって包装したシガレットがアクセスされる。
【０００２】
Ｓｐｒｉｎｋｅｌ，  Ｊｒ．他に付与された米国特許第４，７１７，０１７号は、シガレット箱のポリマーフィルムの外側又はフィルムと開封ストリップとの間に配置することができるレセプタクルの使用を教示している。レセプタクルには、芳香性物質が充填される。開封ストリップを引っ張ってポリマーフィルムを切り離した時に、レセプタクルもまた開いた状態に切り離されて、その中に包含した物質を放出して大気中に又は箱の中のシガレット上に分散させるようにする。
【０００３】
現在、当技術分野では、連続的な方法でパッケージフィルムの表面に対して芳香性物質を供給する必要性が存在する。更に、箱に沿って開封ストリップを引っ張った時に芳香を放出する芳香性物質を供給する必要性及び要望が存在する。
【０００４】
【特許文献１】米国特許第４，７１７，０１７号
【発明の開示】
【０００５】
従って、本発明の目的は、開いた時に芳香を放出する消費者用箱又はその他のパッケージを提供することである。本発明の更なる目的は、シガレット箱のような消費者用箱の外側ラップに適用することができ、かつ箱上の開封ストリップによって容易に開くことができる芳香性繊維状ストリップを提供することである。
【０００６】
本発明によると、その周りに柔軟性外側ラップを備えた消費者用箱は、該消費者用箱を開く時に外側ラップを上部及び下部部分に分離するようになった開封テープを該箱及び外側ラップ間に有する。多層芳香性ストリップは、開封テープの丁度外側で外側ラップの外側表面上に配置され、芳香性ストリップは、接着剤層によって外側ラップの外側表面に固定される。芳香性ストリップは、芳香剤が浸漬された繊維状基材と、芳香を封じ込めた外側バリア表面とを含む。開封テープが外側ラップを上部及び下部部分に分離した時に、外側バリア表面及び繊維状基材は、開いた状態に破壊されて周囲に芳香を放出する。
【０００７】
繊維状基材は、箱を開く時にバリア表面及び繊維状基材を開いた状態に破壊するのを助ける切込み線を含むことができる。その上、芳香性ストリップはまた、繊維状基材の下方に印刷することができるベース層をさらに含むことができ、またベース層は、接着剤層によって外側ラップに固定することができる。
【０００８】
芳香性ストリップは、消費者用箱を開いた時に該芳香性ストリップの全てが外側ラップの上部部分と共に残るように、外側ラップの外側表面上に配置されるのが好ましい。芳香剤の全ては、外側ラップの上部部分が廃棄された時に取り除かれる。
【０００９】
上述のことに加えて本発明の新規な特徴及び利点は、等じ参照符号が同様の部分を表す添付図面と併せて以下の詳細な説明を読むことにより、当業者には明らかになるであろう。
【発明を実施するための最良の形態】
【００１０】
図面をより具体的に参照すると、図１は、ラップの内側に開封テープ１６を備えた柔軟性外側ラップ材料１４の外側表面に適用するための連続した多層繊維状芳香性ストリップ１２のボビン１０を示している。図１〜図３に示すように、多層繊維状芳香性ストリップ１２は、それら間に繊維状基材２２が配置されたベース層１８及び外側バリア被覆表面２０を含む。繊維状基材には、液体芳香剤が予め浸漬される。以下により完全に説明するように、多層繊維状芳香性ストリップ１２は、アグレッシブ接着剤層２４によって外側ラップ１４に固定される。
【００１１】
図３に図式的に示すように、開封テープ１６が引っ張って外側ラップ材料１４を分離した時に、テープは、繊維状基材２２及び外側バリア２０を開いた状態に破壊して、それによって基材内の芳香を周囲に放出する。繊維状基材は、外側ラップ材料１４を分離するように開封テープ１６を操作した時に、基材及び外側バリアを開いた状態に破壊するのを助ける切込み線２６をその中に含むことができる。図２に示すように、切込み線２６は、基材の厚さを通してほぼ中間位置まで繊維状基材内に延びることができる。これにより、基材が切込み線で分離されまた同時に切込み線２６間のラインに沿って横方向に分裂することが可能になる。
【００１２】
図４は、箱の周りに柔軟性外側ラップ材料１４を備えたフリップトップ式シガレット箱２８を示している。公知のように、開封テープ１６は、外側ラップの内側に配置され、シガレット箱スリットを開ける時に開封テープを引っ張り、かつ外側ラップ材料１４をそれぞれ上部部分及び下部部分３０及び３２に分離する。多層繊維状芳香性ストリップ１２は、接着剤層２４によって柔軟性外側ラップ材料１４に固定される。繊維状ストリップは、開封テープが芳香性ストリップの下方境界に位置するように、外側ラップ材料の外側上に配置される。従って、開封テープを操作することによってシガレット箱が開いた時に、外側ラップ材料が上部及び下部部分３０、３２に分離され、また外側ラップ材料と共に残った繊維状基材２２の全てが、上部部分３０と共に残る。従って、外側ラップ材料１４の分離した上部部分３０を取り除きかつ廃棄した時に、基材２２の全てが、取り除かれ、芳香剤浸漬繊維状基材の何れも、シガレット箱２８と共に残らない。
【００１３】
シガレット箱２８を開ける際に開封テープ１６を引っ張った時に、直ちに芳香が一気に放出されるが、外側ラップ材料１４の上部部分３０が最終的に取り除かれた時に、芳香剤浸漬基材は全く残らない。従って、例えばシガレット箱を閉じてユーザの衣服に近接させて保存した時に、芳香は全くユーザに移動しない。
【００１４】
図５は、接着剤３８によって外側ラップ材料の内側表面に固定された開封テープ１６と共に柔軟性外側ラップ材料１４に固定された多層繊維状芳香性ストリップ１２の連続ロールを示す概略図である。このように形成した複合材は次に、ローラ対４０、４２によって包装ステーションに移送され、包装ステーションにおいて、個々のシガレット箱２８のような消費者用箱が、外側ラップ材料１４及び芳香性ストリップ１２で包まれる。箱は、図５の右側に移動され、回転タレット４６上の解放コンパートメント４４内に押し込まれる。各シガレット箱を上包装するのに十分な所定長さの複合材料が、上部及び下部カッター４８、５０によって複合材料の連続ストリームから切断される。タレットが回転すると、折畳みプレート５２により、シガレット箱の周りに外側ラップ材料１４を密封する。上部ローラ対４０が、ガイド５４を通して複合材を連続的に移送して、この工程が繰り返される。
【図面の簡単な説明】
【００１５】
【図１】本発明による、消費者用箱の外側ラップに適用するためにボビン上に巻かれた多層繊維状芳香性ストリップの斜視図である。
【図２】本発明による、ラップの下方に開封テープを備えた外側ラップに適用した、図１の多層繊維状芳香性ストリップの端面図である。
【図３】箱を開いた時に、外側ラップを分離しかつ繊維状芳香性ストリップを開いた状態に破壊して芳香を放出する開封テープを示す斜視図である。
【図４】本発明による、それに固定された多層芳香性ストリップを備えたフリップトップ式シガレット箱の斜視図である。
【図５】消費者用箱に対して多層繊維状芳香性ストリップを備えた外側ラップを適用する１つの方法を示す概略図である。
【符号の説明】
【００１６】
１０  ボビン
１２  繊維状芳香性ストリップ
１４  外側ラップ
１６  開封テープ
１８  ベース層
２０  外側バリア表面
２２  繊維状基材
２４  接着剤層
２６  切込み線
２８  消費者用箱（シガレット箱）
３０  上部部分
３２  下部部分
【図１】
2009502673.tif 000003
【図２】
2009502673.tif 000004
【図３】
2009502673.tif 000005
【図４】
2009502673.tif 000006
【図５】
2009502673.tif 000007
【国際調査報告】
2009502673.tif 000008
2009502673.tif 000009